【手続補正書】
【提出日】平成19年4月24日(2007.4.24)
【手続補正１】
【補正対象書類名】明細書
【補正対象項目名】特許請求の範囲
【補正方法】変更
【補正の内容】
【特許請求の範囲】
【請求項１】  携帯端末を所持する利用者の健康を管理する健康管理システムであって、
利用者が携帯して所持するように構成されており、
表示画面、
所定の無線通信網にアクセスする無線通信手段、
前記利用者の個人に関する情報を格納する記憶手段、及び
前記利用者の健康管理をサポートする入出力デバイス、
前記利用者が前記無線通信網に緊急通報を送信するための緊急通報手段、を備えた携帯端末と、
前記携帯端末を所持する前記利用者それぞれについて、前記個人に関する情報を格納する個人情報記憶手段、
医療機関、薬品販売店、薬剤及び前記入出力デバイスに関する情報を格納する医療情報記憶手段、及び
前記無線通信網を介して前記携帯端末と通信するための通信手段、を備えたデータベースとを含み、
前記無線通信手段は、前記データベースとの通信を開始する際に、前記記憶手段に格納された前記個人に関する情報の一部を前記データベースに送信し、
前記データベースは、
前記無線通信手段から送信された前記個人に関する情報の一部を前記個人情報記憶手段に格納された情報と照合して前記携帯端末の前記利用者を識別する識別手段と、
前記緊急通報手段から緊急通報が送信されたときに起動され、前記無線通信手段から送信された情報に応じて、前記医療情報記憶手段に情報が格納された医療機関との通信、及び前記医療情報記憶手段に格納された情報のうち前記識別された前記利用者に必要な情報のいずれかを前記携帯端末に提供する緊急対応手段と、を有していることを特徴とする健康管理システム。
【請求項２】  前記個人に関する情報が、前記利用者のカルテ及び処方箋の情報を含むことを特徴とする請求項１に記載の健康管理システム。
【請求項３】  前記無線通信手段及び前記通信手段は、少なくとも前記個人に関する情報の一部を送受信する際に、暗号化／復号化を行うことを特徴とする請求項１に記載の健康管理システム。
【請求項４】  前記携帯端末が該端末の位置情報を取得する位置情報取得手段を更に備え、
前記緊急対応手段は、前記位置情報取得手段から送信された前記位置情報に基づいて、適切な前記医療機関又は前記薬品販売店への経路情報を前記表示画面に表示させることを特徴とする請求項１に記載の健康管理システム。
【請求項５】  前記入出力デバイスが薬剤を微小液滴として吐出して利用者に吸入させる吸入器であり、前記入出力デバイスに関する情報が前記吸入器の取り扱いに関する情報を含むことを特徴とする請求項１に記載の健康管理システム。
【請求項６】  前記緊急対応手段は、起動された後に所定時間以上情報が送信されないとき、救急施設に通信することを特徴とする請求項１に記載の健康管理システム。
【請求項７】  前記情報の一部は、前記利用者の生体的特徴に関する情報を含むことを特徴とする請求項１に記載の健康管理システム。
【請求項８】  携帯端末を所持する利用者の健康を管理する健康管理方法であって、
利用者が携帯して所持する携帯端末に、表示画面、所定の無線通信網にアクセスする無線通信手段、前記利用者の個人に関する情報を格納する記憶手段、及び前記利用者の健康管理をサポートする入出力デバイス、前記利用者が前記無線通信網に緊急通報を送信するための緊急通報手段、を設け、前記携帯端末と通信するデータベースに、前記携帯端末を所持する前記利用者それぞれについて、前記個人に関する情報を格納する個人情報記憶手段、医療機関、薬品販売店、薬剤及び前記入出力デバイスに関する情報を格納する医療情報記憶手段、及び前記無線通信網を介して前記携帯端末と通信するための通信手段、を有し、
前記無線通信手段によって、前記データベースとの通信を開始する際に、前記記憶手段に格納された前記個人に関する情報の一部を前記データベースに送信し、
前記データベースにおいて、前記無線通信手段から送信された前記個人に関する情報の一部を前記個人情報記憶手段に格納された情報と照合して前記携帯端末の前記利用者を識別し、前記緊急通報手段から緊急通報が送信されたときに、前記医療情報記憶手段に情報が格納された前記医療機関との通信、及び前記医療情報記憶手段に格納された情報のうち前記識別された前記利用者に必要な情報のいずれかを前記携帯端末に提供する、ことを特徴とする健康管理方法。
【請求項９】  前記個人に関する情報が、前記利用者のカルテ及び処方箋の情報を含むことを特徴とする請求項８に記載の健康管理方法。
【請求項１０】  前記無線通信手段及び前記通信手段によって、少なくとも前記個人に関する情報の一部を送受信する際に、暗号化／復号化を行うことを特徴とする請求項８に記載の健康管理方法。
【請求項１１】  前記携帯端末によって該端末の位置情報を取得し、前記位置情報に基づいて、適切な前記医療機関又は前記薬品販売店への経路情報を前記表示画面に表示させることを特徴とする請求項８に記載の健康管理方法。
【請求項１２】  前記入出力デバイスが薬剤を微小液滴として吐出して利用者に吸入させる吸入器であり、前記入出力デバイスに関する情報が前記吸入器の取り扱いに関する情報を含むことを特徴とする請求項８に記載の健康管理方法。
【請求項１３】  前記データベースにおいて、前記無線通信手段から特定の信号が送信された後に所定時間以上情報が送信されないとき、救急施設に通信することを特徴とする請求項８に記載の健康管理方法。
【請求項１４】  前記情報の一部は、前記利用者の生体的特徴に関する情報を含むことを特徴とする請求項８に記載の健康管理方法。
【請求項１５】  健康、医療、又は薬品に関する情報をデータベースより提供することが可能な健康管理システムであって、
携帯端末から、該携帯端末に格納されている利用者情報と、該携帯端末の緊急通報モードによる緊急通報とをネットワークを介して受信する手段、
前記利用者情報と、前記データベースに格納されている個人情報とを照合して、前記携帯端末の利用者を識別する識別手段、
前記携帯端末から発信された緊急通報に応答して、前記識別を行い、前記データベースに格納され、識別された前記利用者の健康、医療、又は薬品に関する情報を提供する手段を含むことを特徴とする健康管理システム。
【請求項１６】  前記携帯端末が、熱を利用したインクジェット方式を利用して薬剤を吐出する吸入器を含む請求項１５に記載の健康管理システム。
【請求項１７】  前記利用者情報が、前記利用者のカルテ及び処方箋の情報を含むことを特徴とする請求項１５に記載の健康管理システム。
【請求項１８】  前記識別された利用者の健康、医療、又は薬品に関する情報が、前記利用者にとって適切な前記医療機関又は薬品販売店への経路情報である請求項１５に記載の健康管理システム。
【手続補正２】
【補正対象書類名】明細書
【補正対象項目名】００１８
【補正方法】変更
【補正の内容】
【００１８】
【課題を解決するための手段】
上記目的を達成するために本発明の健康管理シシテムは、
携帯端末を所持する利用者の健康を管理する健康管理システムであって、
利用者が携帯して所持するように構成されており、
表示画面、
所定の無線通信網にアクセスする無線通信手段、
前記利用者の個人に関する情報を格納する記憶手段、及び
前記利用者の健康管理をサポートする入出力デバイス、
前記利用者が前記無線通信網に緊急通報を送信するための緊急通報手段、を備えた携帯端末と、
前記携帯端末を所持する前記利用者それぞれについて、前記個人に関する情報を格納する個人情報記憶手段、
医療機関、薬品販売店、薬剤及び前記入出力デバイスに関する情報を格納する医療情報記憶手段、及び
前記無線通信網を介して前記携帯端末と通信するための通信手段、を備えたデータベースとを含み、
前記無線通信手段は、前記データベースとの通信を開始する際に、前記記憶手段に格納された前記個人に関する情報の一部を前記データベースに送信し、
前記データベースは、
前記無線通信手段から送信された前記個人に関する情報の一部を前記個人情報記憶手段に格納された情報と照合して前記携帯端末の前記利用者を識別する識別手段と、
前記緊急通報手段から緊急通報が送信されたときに起動され、前記無線通信手段から送信された情報に応じて、前記医療情報記憶手段に情報が格納された医療機関との通信、及び前記医療情報記憶手段に格納された情報のうち前記識別された前記利用者に必要な情報のいずれかを前記携帯端末に提供する緊急対応手段と、を有している。
【手続補正３】
【補正対象書類名】明細書
【補正対象項目名】００１９
【補正方法】変更
【補正の内容】
【００１９】
また、上記目的を達成する本発明の健康管理方法は、
携帯端末を所持する利用者の健康を管理する健康管理方法であって、
利用者が携帯して所持する携帯端末に、表示画面、所定の無線通信網にアクセスする無線通信手段、前記利用者の個人に関する情報を格納する記憶手段、及び前記利用者の健康管理をサポートする入出力デバイス、前記利用者が前記無線通信網に緊急通報を送信するための緊急通報手段、を設け、前記携帯端末と通信するデータベースに、前記携帯端末を所持する前記利用者それぞれについて、前記個人に関する情報を格納する個人情報記憶手段、医療機関、薬品販売店、薬剤及び前記入出力デバイスに関する情報を格納する医療情報記憶手段、及び前記無線通信網を介して前記携帯端末と通信するための通信手段、を有し、
前記無線通信手段によって、前記データベースとの通信を開始する際に、前記記憶手段に格納された前記個人に関する情報の一部を前記データベースに送信し、
前記データベースにおいて、前記無線通信手段から送信された前記個人に関する情報の一部を前記個人情報記憶手段に格納された情報と照合して前記携帯端末の前記利用者を識別し、前記緊急通報手段から緊急通報が送信されたときに、前記医療情報記憶手段に情報が格納された前記医療機関との通信、及び前記医療情報記憶手段に格納された情報のうち前記識別された前記利用者に必要な情報のいずれかを前記携帯端末に提供する。
さらに、上記目的を達成する本発明の健康管理システムは、
健康、医療、又は薬品に関する情報をデータベースより提供することが可能な健康管理システムであって、
携帯端末から、該携帯端末に格納されている利用者情報と、該携帯端末の緊急通報モードによる緊急通報とをネットワークを介して受信する手段、
前記利用者情報と、前記データベースに格納されている個人情報とを照合して、前記携帯端末の利用者を識別する識別手段、
前記携帯端末から発信された緊急通報に応答して、前記識別を行い、前記データベースに格納され、識別された前記利用者の健康、医療、又は薬品に関する情報を提供する手段を含む。